(57)【特許請求の範囲】
【請求項１】
回転レバーを回転軸に設けた回転式の発電機を収納し、且つ、ヘルメット本体に対して着脱自在な第一筐体と、
前記発電機に接続した第１二次電池と、
前記第１二次電池に直接又は間接に接続されるラジオ受信機その他の電波受信手段を収納した第二筐体と、
前記第１二次電池と装着時に電気的に接続される独立二次電池と、
前記第１二次電池から前記独立二次電池への電力供給の充放電制御を行うコントローラと、
をヘルメット本体に設けたことを特徴とするヘルメット。
【請求項２】
前記コントローラは、ヘルメット本体の内面頂部付近に設けられ、
前記独立二次電池は、ヘルメット本体の内面の少なくとも前部、側部及び後部に設けられることを特徴とする請求項１に記載のヘルメット。
【請求項３】
前記ヘルメット本体には、
前記第一筐体及び第二筐体のいずれにも着脱する第一装着部と第二装着部が別の場所に設けられていることを特徴とする請求項１又は２に記載のヘルメット
【発明の詳細な説明】
【技術分野】
【０００１】
本発明は、発電した電力により様々な機器を機能させるヘルメットに関するものである。
【背景技術】
【０００２】
従来から特許文献１に記載されたようなヘルメットが知られている。このヘルメットは、ヘルメット本体に下垂部を設け、この下垂部にラジオ受信回路が設けられると共に前記ヘルメット本体に太陽電池パネルが装着された構造である。
【０００３】
災害時には、太陽電池パネルで発電した電力を充電式電池に蓄電し、この電力により前記ラジオ受信回路を駆動する。これにより、災害時に乾電池を常備していなくてもヘルメットを持ち出すことでラジオを聴くことができる。
【先行技術文献】
【特許文献】
【０００４】
【特許文献１】実用新案登録第３０１５９５３号公報
【発明の概要】
【発明が解決しようとする課題】
【０００５】
しかしながら、上記従来のヘルメットでは、太陽電離パネルにより発電しているため、夜間に災害が発生したり、ビル内に閉じ込められたりすると、発電ができなくなるという問題点があった。本発明は、係る問題点を解決するためになされたものである。
【課題を解決するための手段】
【０００６】
本発明に係るヘルメットは、回転レバーを回転軸に設けた回転式の発電機を収納する第一筐体と、前記発電機に接続した第１二次電池と、前記第１二次電池に直接又は間接に接続されるラジオ受信機その他の電波受信手段を収納した第二筐体と、をヘルメット本体に設けたことを特徴とする。
【０００７】
前記第１二次電池は、第一筐体に内蔵されると共に当該第一筐体は、前記ヘルメット本体に対して着脱自在とするのが好ましい。また、前記ヘルメット本体に、前記第１二次電池と装着時に電気的に接続される独立二次電池を設けるようにするのが好ましい。更に、前記ヘルメット本体には、前記第一筐体及び第二筐体のいずれにも着脱する第一装着部と第二装着部が別の場所に設けられるようにするのが好ましい。
【図面の簡単な説明】
【０００８】
【図１】本発明の実施の形態１に係るヘルメットを示す正面図である。
【図２】図１に示したヘルメットの左側面図である。
【図３】図１に示したヘルメットの右側面図である。
【図４】図１に示したヘルメットの平面図である。
【図５】図１に示したヘルメットの第一筐体及び第二筐体を取り外した状態を示す正面図である。
【図６】図１に示したヘルメットの第一筐体及び第二筐体を取り外した状態の左側面図である。
【図７】図１に示したヘルメットの第一筐体及び第二筐体を取り外した状態の右側面図である。
【図８】図１に示したヘルメットの第一筐体及び第二筐体を取り外した状態の平面図である。
【図９】図１に示したヘルメットの裏側を示す説明図である。
【図１０】図１に示したヘルメットの構成図である。
【図１１】図１に示したヘルメットの変形例を示す側面図である。
【図１２】この発明の実施の形態２に係るヘルメットを示す構成図である。
【発明を実施するための形態】
【０００９】
（実施の形態１）
このヘルメット１００は、頭部に被せるヘルメット本体１と、ヘルメット本体１に対して左右に装着する第一筐体１０及び第二筐体２０とを備えている。
【００１０】
第一筐体１０は、発電手段を備えており、回転式の発電機１１と、発電機１１の回転軸に取り付けたハンドル１２と、発電機１１に接続した第１二次電池１３とを有する。ハンドル１２は、回転軸の部分でヒンジにより可動状態で連結しており第一筐体１０の表面に対して折り畳んで収納できる。ハンドル１２は、回転軸に取り付けられたアームとその先端に設けた摘みとから構成される。ハンドル１２の根元が前記回転軸に対してヒンジ結合されて折り畳み可能となっている。発電機１１は第１二次電池１３に接続されており、発電機１１で発電した電力が当該第１二次電池１３に充電される。
【００１１】
ヘルメット本体１には、第一筐体１０を着脱する第一装着部３０が設けられる。第一装着部３０には、第一筐体１０を固定する固定部３１と、電気的な接続を取る電気接続部３２とを備える。固定部３１には、先端を挿し込んでから後端をフックで固定する構造等の各種の公知の着脱手段を採用できる。電気接続部３２は、第一筐体１０を第一装着部３０に装着することで第１二次電池１３及び発電機１１との電気的な接続がヘルメット本体１に内蔵した電気機器との間でなされればどのような構造でも採用できる。例えば、第一筐体１０側にばね式の電極を設け、第一装着部３０に前記電極に対応する位置に固定の平な電極を設けたものでも良い。
【００１２】
更に、この第一筐体１０には、ＬＥＤ等のライト１４が設けられる。ライト１４は第１二次電池１３から電力供給を受けて点灯する。このため、第一筐体１０をヘルメット本体１から取り外した場合に、懐中電灯として使用できる。
【００１３】
第二筐体２０には、電波受信機２１が設けられている。電波受信機２１はＡＭラジオ、ＦＭラジオ、短波ラジオ等のものが好ましいが、これに限定されない。無線電波を受信できるものであればどのようなものでも良い。また、デジタル信号の受信機でもアナログ信号の受信機でもいずれでも良い。ＧＰＳ受信機でも良い。電波受信機２１には、画像表示装置及びスピーカー等の出力装置２２が含まれる。電波受信機２１のアンテナは、ヘルメット本体１内に設けても良いし、ロッドアンテナをヘルメット本体１の外側に設けても良い（図示省略）。出力装置２２は一例であるスピーカーは、圧電素子を用いた小型のものが好ましい。
【００１４】
なお、第二筐体２０に速度センサー２８を設け、速度センサー２８の出力信号に基づいてユーザの移動速度が例えば８ｋｍを超えると乗り物に乗っていると判断して、電波受信機２１又は画像表示やスピーカー音声をオフにするように制御できる。これらの制御は、第二筐体２０の制御部２４が行う。更に、第二筐体２０は、電波受信機２１等を駆動するための第２二次電池２５を内蔵している。第２二次電池２５は、後述する独立二次電池５１からの電力の供給を受ける。第二筐体２０は、ヘルメット本体１から取り外した場合でも、単独で使用可能となる。
【００１５】
更に、この第二筐体２０には、ＬＥＤ等のライト２６が設けられる。ライト２６は第２二次電池２５から電力供給を受けて点灯する。このため、第二筐体２０をヘルメット本体１から取り外した場合に、懐中電灯として使用できる。
【００１６】
ヘルメット本体１には、第二筐体２０を着脱する第二装着部４０が設けられる。第二装着部４０には、第二筐体２０を固定する固定部４１と、電気的な接続を取る電気接続部４２とを備える。固定部３１には、公知の着脱手段を採用できる。電気接続部４２は、第二筐体２０を第二装着部４０に装着することでヘルメット本体１に内蔵した電気機器との間で電気的な接続がなされればどのような構造でも採用できる。
【００１７】
また、第二筐体２０と第一筐体１０とは略同じ形状となる。少なくとも、第一筐体１０の第一装着部３０への取付部分の形状と、第二筐体２０の第二装着部４０への取付部分の形状とは、同じである。なお、当該形状自体に限定はなく公知の構造を採用できる。このため、第一筐体１０を第二装着部４０に装着可能であり、第二筐体２０を第一装着部３０に装着が可能である。これにより、右利きのユーザも左利きのユーザも自己が使用しやすい側に第一筐体１０又は第二筐体２０を取り付けて使用できる。
【００１８】
ヘルメット本体１には、電力の配分等を行うコントローラ５０と、前記発電機１１により発電した電力を蓄電する独立二次電池５１が設けられている。コントローラ５０は、ヘルメット本体１の内部の頭部付近に平面的に設けられる。同様に、独立二次電池５１は、略平面的に構成されており、ヘルメット本体１の内面に設けられる。好ましくは、ヘルメット本体１の内面の殆どの範囲に配置するのが好ましい。独立二次電池５１は、前記コントローラ５０とは別の面に設けるのが好ましい。
【００１９】
例えば図９に示すように、コントローラ５０の設置エリアを頂部付近とし、前部、側部及び後部に独立二次電池５１を配置するようにしても良い。このように重量がある独立二次電池５１を前部、側部及び後部に配置して、軽量のコントローラ５０を頂部に配置することで、ヘルメットの重心が下がり、かぶったときの安定感が増す。更に、このような独立二次電池５１及びコントローラ５０が緩衝体として機能するので、ヘルメット１００の外部に衝撃が加わっても、ヘルメット本体１の筐体と当該独立二次電池５１等により防御されるので、より安全性が増す。
【００２０】
独立二次電池５１は、電気的に第一筐体１０の第１二次電池１３と接続される。コントローラ５０は、第１二次電池１３から独立二次電池５１への電力供給を制御する。即ち、第一筐体１０の発電機１１で発電した電力はいったん第１二次電池１３に蓄電される。例えば、第一筐体１０をヘルメット本体１から取り外した状態で充電を行い、第１二次電池１３の充電を行う。そして、第一筐体１０をヘルメット本体１に装着することで、第１二次電池１３と独立二次電池５１とが電気的に接続され、第１二次電池１３から独立二次電池５１に電力が供給される。コントローラ５０は、第１二次電池１３から独立二次電池５１への電力供給の充放電制御を行う。
【００２１】
また、独立二次電池５１に電気的に接続されたＬＥＤ等のライト５２をヘルメット本体１に設ける。ライト５２はヘルメット本体１の前方中央に設けても良い。この場合、ライト５２の電力は独立二次電池５１から供給される。更に、ライト５２は、後部、頂部、側部に設けることもできる（図示省略）。点灯、点滅、照度、色等をそれぞれ選択できるようにしても良い。
【００２２】
次に、ヘルメット１００には、ヘルメット本体１を頭に固定するためのあご紐６０が設けられている。あご紐６０の一部には、ホイッスル６１が設けられる。このホイッスル６１は瓦礫の下敷きになったような場合で声が出せなくなったとき、大きな音を出して存在を知らせることができるので被災地で有用である。
【００２３】
更に、ヘルメット本体１の頂部には、太陽電池パネル５３を設置できる。この太陽電池パネル５３は、充電回路（図示省略）を介して前記独立二次電池５１に接続されている。太陽電池パネル５３は、透明樹脂で覆われており、ヘルメット本体１の表面のどのような場所にでも設けることができる。太陽電池パネル５３をヘルメット本体１の表面の所望位置に設けることで、充電が可能になると共に衝撃を緩和するクッション材として機能する。同図の例では、矩形の太陽電池パネル５３をヘルメット本体１の頂部の前後方向に設けている。
【００２４】
また、このヘルメット１００は、災害時と平常時の両面で様々な場面で使用できる。更に、このヘルメット１００に各々の機能が搭載し一体化することにより、万一の天災時にはより速やかな携帯がし易い他、素早い防護や緊急情報の収集等が可能になる。また、防災用品の袋へ常備している場合でも、一体化の形状により天災時には素早い取扱いがし易くなる他、防災ラジオライト等を持つ必要もなくなり、瞬時に次の用事にも時間を回せるようになる。
【００２５】
更に、二輪車用や職場用（工事現場等）の各種ヘルメットとしてこのヘルメット１００を用いることで、使用時間が増えるため、万一利用中に災害に遭遇してもこのヘルメット１００の機能を速やかに利用できる。また、ヘルメット本体１は、防水、防雪、防災、防炎、耐候性を有するので、四季を通じて天候に左右されずに各々の場所や状況で使用可能である。
【００２６】
また、ヘルメット１００には、リモコンを設けることができる（図示省略）。このリモコンは、電波や赤外線で信号の送受信を行う公知の構成を備えたものである。リモコンは、電波受信機２１の操作やライトの点灯等を遠隔で行う。リモコン本体は、図示しないがヘルメット本体１の前記第一筐体１０又は第二筐体２０を配置していない場所に着脱自在に取り付けるのが好ましい。このリモコンの本体には、サバイバルナイフ等に搭載されるカッター、ハンマー、ドリル、ドライバー等を装備させておくと良い。これにより、ヘルメット１００のみ持ち出すことでこれらの便利なツールも同時に持ち出すことが可能となる。なお、リモコンの電源は内蔵された二次電池からなり、前記独立二次電池５１や第一筐体１０の第１二次電池１３、発電機１１から供給されて充電される。
【００２７】
また、このヘルメット１００の使用方法の一例として、第一筐体１０及び第二筐体２０等を取り外して軽量化した状態で使用することもできる。
【００２８】
また、ヘルメット自体にラジオ等の機能を備えるので、誤って単品の防災ラジオライトを落下させたり、紛失させたりしてしまう恐れも極めて低くなる他、取扱う為の手間が短縮し、その分身の安全の為に両手を開けておくことも充分可能になる。
【００２９】
更に、ヘルメット本体１に警告を発するブザー等を設けても良い（図示省略）。このブザーは、警告を発した時、電源の有無に関わらず、ヘルメット１００と附属のリモコンに搭載する機器が自動起動するようにできる。更に、ヘルメット１００の独立二次電池５１や第一筐体１０の第１二次電池１３は、外部電源から直接充電することができる。この場合、当該独立二次電池５１や第１二次電池１３の充電回路に接続したモジュラージャックがヘルメット本体１又は第一筐体１０に設けられる。
【００３０】
また、ヘルメット本体１には、独立二次電池５１、第１二次電池１３の直流電流を交流に変換するインバーターを内蔵したＡＣ１００Ｖ（５０／６０Ｈｚ）とＤＣ１２Ｖの出力端子と、５Ｖ電圧のＵＳＢ（出力端子）ポートを設けることができる。これにより、外部の電子機器の電源として用いることができる。電力がなくなれば第一筐体１０の発電機１１で充電すれば再利用できる。
【００３１】
また、各電子機器（携帯電子機器など）に接続する標準的な接続コードをヘルメット本体１のいずれかの場所に内蔵しておくのが好ましい。また、プラスマイナスの端子を露出させた部分を設けて、これをＤＣ１２Ｖの出力端子とし、自動車のバッテリーに接続できるようにしても良い。
【００３２】
ヘルメット本体１には、電源の残量メーターを設けても良い。残量メーターは、ボタンを押すことで電源に接続されて残量を示すアナログ式でも良いし、デジタル式に表示させても良い。いずれも公知の構成を採用できる。さらに、方位磁針を頂部に設置しても良い。
【００３３】
更に、図１１に示すように、小型の風力発電機２０１の発電機２０２とブレード２０３をヘルメット本体１の頂部に設けても良い。ブレード２０３の直径は、８ｃｍ〜１２ｃｍ程度のものが好ましい。発電機２０２は、独立二次電池５１に接続されており、ヘルメット使用中でも常に発電がおこなわれる環境とする。
【００３４】
二輪車用のヘルメットの場合、一定の速度（風速）と自然風のどちらにも適用（回転）するため、発電機２０２及びブレード２０３の方向は自由に設定可能とする。また、自然風を利用して発電する場合、ヘルメット本体１を地面においてブレード２０３及び発電機２０２を伸縮可能なポール２０４の先端上部に設け、所定の高さまで伸ばして使用しても良い。このとき、ヘルメット本体１の下部がブレード２０３を支持する足若しくは土台として機能する。ポール２０４は地上高さが２ｍ程度まで伸びるものを用いるのが好ましい。なお、ヘルメット本体１を地面に載置した場合のみポール２０４が伸びるようにしても良い。これは機械的にロックを設けてそのロックのトリガーとなるボタンがヘルメット本体１の下方に突出しており、このボタンが押し込まれた際に前記ロックが解除されてポール２０４が伸びるようにする。
【００３５】
このように、風力発電機２０１を設けることで、自然エネルギーの供給源が増えるので、災害時の選択肢が増える。また、通常使用の際、太陽光が得られないときにも発電が可能になる。
【００３６】
（実施の形態２）
図１２は、この発明の実施の形態２に係るヘルメットを示す構成図である。このヘルメット２５０は、外本体２５１と内本体２５２との二層構造である点に特徴がある。その他の構成は実施の形態１のヘルメット１００と同様であるからその説明を省略する。このヘルメット１００は、外本体２５１と内本体２５２との間には、クッション層２５３が設けられる。クッション層２５３は、発泡スチロール等により形成される。クッション層２５３は、外本体２５１の内側に接着される。外本体２５１はプラスチック等の樹脂製である。
【００３７】
クッション層２５３には、独立二次電池５１や充電回路等を収納する収納部２５４が形成されている。この収納部２５４は、同図ではクッション層２５３の一部に設けられているが、クッション層２５３の一部をくり抜いた部分を複数設けて独立二次電池５１や充電回路等を収納することができる。
【００３８】
内本体２５２は、アルミニウム、チタン等の軽量金属により形成される。内本体２５２は、前記クッション層２５３の内側に重ねて着脱自在に取り付けられる。例えば、内本体２５２の全部に突起が設けられ、外本体２５１のつば部には当該突起を挿入する固定穴が設けられ、外本体２５１の後部には、内本体２５２の後部を保持するフックがバネにより内側に付勢されて設けられている。その他の公知の着脱構造を採用できる。
【００３９】
内本体２５２には、端縁にハンドル２５５が設けられる。このハンドル２５５は円弧形状であり端部で軸支されて回転自在である。ハンドル２５５は、内本体２５２の後部または前部で仮固定可能である。内本体２５２は、外本体２５１から取り外して上下ひっくり返すと、鍋のような恰好になり、当該内本体２５２はアルミニウム等の板から成形されたものであるから、その内部に水を入れてボイルできる。このため、災害時にバケツがなくても当該ヘルメット２５０の内本体２５２がその代りを果たす。更に、ヘルメット２５０の内本体２５２を外しても、クッション層２５３が内部に露出するだけであるから、そのまま被って使用できる。
【符号の説明】
【００４０】
１００  ヘルメット
１  ヘルメット本体
１０  第一筐体
２０  第二筐体
１１  発電機
１２  ハンドル
１３  第１二次電池
３０  第一装着部
３１  固定部
３２  電気接続部
２１  電波受信機
２２  出力装置
４０  第二装着部
【図１】
0006268334.tif 000002
【図２】
0006268334.tif 000003
【図３】
0006268334.tif 000004
【図４】
0006268334.tif 000005
【図５】
0006268334.tif 000006
【図６】
0006268334.tif 000007
【図７】
0006268334.tif 000008
【図８】
0006268334.tif 000009
【図９】
0006268334.tif 000010
【図１０】
0006268334.tif 000011
【図１１】
0006268334.tif 000012
【図１２】
0006268334.tif 000013